(57)【特許請求の範囲】
【請求項１】
角枠状に形成した美術立体額縁外枠（１ａ）の裏面側に、額縁内枠裏板（１ｆ）を設けて内側に立方体箱の特殊ケース部を形成した美術立体額縁内枠（１ｂ）を、接合して組み付けて、奥行きのある美術立体額縁ケース（１）に組み立て、この美術立体額縁ケース（１）の前記美術立体額縁内枠（１ｂ）に形成した特殊ケース部内に、立体製作したミニ模型美術神殿の立体神殿本体（２）を配して、額縁内枠裏板（１ｆ）の正面側の中央の少し上に接着固定し、その立体神殿本体（２）の左右および下方には、ミニ模型の土塀（５）および砂利道（７）・石敷参道（８）等の小物補助部品を配して接着固定し、美術立体額縁内枠（１ｂ）の特殊ケース部内の天井部に、組み付けた立体神殿本体（２）を照明するＬＥＤ照明装置（１ｅ）を組み込み、立体神殿本体（２）の下方の石敷参道（８）の下端側の前面に願い事記入紙、受験番号紙、宝くじ等を出し入れ可能に収納する収納箱を、箱ふた（４ａ）付きのお賽銭箱（４）にデザインして付属せしめてなる、美術立体額縁ケースに内蔵したミニ模型神殿。
【請求項２】
美術立体額縁内枠（１ｂ）の、金張り飾り枠（１ｃ）より後方による部位で、左右の縁枠部のうちの一方の縁枠部の外周側に、和楽器や野鳥、昆虫の鳴き声を録音した音響再生装置（１ｇ）を配して組み付け、左右の縁枠部の他方の縁枠の外周側に、マイナスイオン発生装置（１ｉ）を配して組み付けたことを特徴とする請求項１記載の美術立体額縁ケースに内蔵したミニ模型神殿。
【発明の詳細な説明】
【技術分野】
【０００１】  本発明は宗教的でなく芸術的に美術鑑賞するための美術立体額縁ケースの立方体に装着した美術立体額縁神殿に関する。
【背景技術】
【０００２】  従来の額縁神棚や神殿には宗教色が強く祈願用紙、お札、御神体の絵、丸鏡、社殿の写真等の収納可能を施したものが多い、叉設置場所として家具、屋内置き物等の上面や棚内に立て掛ける等の手段がある特許文献１参照。また、お守り札、宝くじ、願い事記入紙等を入れる神殿を施したものがある実用文献１参照。【０００３】
【特許文献１】特開平６−３４３５４３号
【実用文献１】
登録第３０１３７０９号
【発明の開示】
【発明が解決しようとする課題】
【０００４】  従来はお札、お守り、宝くじ等の収納出きる簡易神棚や簡易木枠額縁は存在したがあまりにも宗教色が強く棚や家具上面に置き、芸術的に製作した立体額縁神殿を室内に設置し美術的に鑑賞する感覚に乏しい。
【課題を解決するための手段】
【０００５】  本発明は奥行きのある美術立体額縁の立方体の額縁内枠の特殊ケース部に、ミニ美術神殿をより精密かつ芸術的に立体製作した本体神殿と全景レイアウト用の土塀、竹塀，神社のぼり等また常緑樹（神樹）や敷石参道、砂利道、しめ縄、鈴、お供え物など小物補助部品を立体的に遠近画技方法で全景にバランスよく芸術的に配置する、また願い事記入紙、受験番号紙、宝くじ等を簡単に出し入れ出きるお賽銭箱デザイン収納箱とで構成する。
【発明の効果】
【０００６】  本発明の美術立体額縁神殿は宗教的でなく芸術的に精密に立体的に製作した本体神殿と全景レイアウト補助部品とからなり、お札、御神体、護摩札などを入れるのはあくまで補助的であり美術鑑賞を主体とした美術立体額縁製品のため奥行のある東洋美術として応接間や和室にマッチし癒し効果もある、【０００７】  またより立体の効果を演出するため上部の額縁にＬＥＤ光源を内蔵し光による影をいかし立体の効果を高める、【０００８】  さらに和楽器音叉は蜩の鳴き声やセミの鳴き声、野鳥の鳴き声を自動的、定期的または人の接近により作動するようにし、より癒し効果を高める，【０００９】  また−イオン発生装置を内蔵し健康と安らぎを高める効果もある、【００１０】  なかには宝くじ、受験番号カード、お願い事紙等を縁起かつぎとして収納したい人のためにお賽銭箱デザインケースを出し入れの簡単な前面の場所に付属することで安心感による癒しの効果を高める，
【発明を実施するための最良の形態】
【実施例】
【００１１】
以下、添付図面に従って一実施例を説明する。図３に示す美術立体額縁外枠１ａに、図２に示すようＬＥＤ照明装置１ｅを組み込み、図４に示す音響再生装置１ｇおよびマイナスイオン発生装置１ｉを付設した美術立体額縁内枠１ｂを木ねじで組み付けて、図１に示すように美術立体額縁ケース１を組み立てる。
【図３】
１ａ美術立体額縁外枠に
【図２】
１ｅＬＥＤ照明装置を組み込んだ
【図４】
１ｇ音響再生装置１ｉマイナスイオン発生装置付の１ｂ美術立体額縁内枠を木ねじで組み立て
【図１】
１美術立体額縁ケースとする。
【００１２】
次に図６に示す立体神殿本体２に、図５に示す金板社紋２ａと金板梅マーク２ｃのついた銅板加工屋根２ｂを接着する。次いで、これらを接着した立体神殿本体２を、図４に示す美術立体額縁内枠１ｂの図２に示す額縁内枠裏板１ｆに正面から見て中央の少し上に接着固定する。
【図６】
２立体神殿本体に
【図５】
２ａ金板社紋と２ｃ金板梅マークのついた２ｂ銅板加工屋根を接着する、接着した
【図６】
２立体神殿本体を
【図４】
１ｂ美術立体額縁内枠の
【図２】
１ｆ額縁内枠裏板に正面から見て中央の少し上に接着固定する、
【００１３】
図１に示す塀５の土塀５ａの表面（図９）は紙粘土で作製し、半月瓦５ｂは竹を割り黒で仕上げ接着加工し立体神殿本体２の左右に接着固定する（図１）。図７に示すお供え台３には金板、神紋マーク２ａ、花瓶３ａ、穀物３ｂを接着し、図６に示す立体神殿本体２の階段２ｈの下の中央に接着する。図１に示す砂利道７は木工ボンドを塗った上に砂をまき薄いグレーで着色し仕上げる。石敷参道８は石垣の図柄を張りグレー色で仕上げる。図８に示すみき（神樹）６ａの本体の緑針金に緑系スポンジ材を小さくし枝、葉６ｂとして接着し、製作した常緑樹（神樹）６をバランスよく配置し接着する。最後に図１に示すように背景全体に合わせていろいろな小物補助部品、しめ縄、鈴、社旗、などをアレンジして仕上げ完成する。また季節の変化をたのしむため常緑樹の色を紅葉させたり背景に合わせてわたの雪を付けたり時間の変化をイメージするためＬＥＤの照明の色を白、オレンジ、青など変化させたり又音響装置１ｇの再生やマイナスイオン発生装置１ｉの動作によりいっそうの健康と癒しの効果を高め楽しむ事ができる。
【図１】
５の塀
【図９】
５ａの土塀表面は紙粘土で作製し５ｂ半月瓦は竹を割り黒で仕上げ接着加工し
【図１】
２立体神殿本体の左右に接着固定する、
【図７】
３お供え台に２ａ金板，神紋マーク、３ａ花瓶、３ｂ穀物，を接着し
【図６】
２立体神殿本体の２ｈ階段の下の中央に接着する、
【図１】
７砂利道は木工ボンドを塗った上に砂をまき薄いグレーで着色し仕上げる８石敷参道は石垣の図柄を張りグレイ色で仕上げる
【図８】
６ａみきの本体の緑針金に緑系スポンジ材を小さくし６ｂ枝，葉として接着し製作した６常緑樹（神樹）をバランスよく配置し接着する、最後に
【図１】
のように背景全体に合わせていろいろな小物補助部品，しめ縄，鈴，社旗、などをアレンジして仕上げ完成する、また季節の変化をたのしむため常緑樹の色を紅葉させたり背景に合わせてわたの雪を付けたり時間の変化をイメージするためＬＥＤの照明の色を白、オレンジ、青など変化させたり叉１ｇ音響装置の再生や１ｉマイナスイオン発生装置の動作によりいつそうの健康と癒しの効果を高め楽しむ事ができる
【図面の簡単な説明】
【００１４】
【図１】  美術立体額縁神殿正面図である。
【図２】  美術立体額縁断面図である。
【図３】  美術立体額縁外枠斜視図である。
【図４】  美術立体額縁内枠斜視図である。
【図５】  神殿屋根斜視図である。
【図６】  神殿本体斜視図である。
【図７】  お供え台斜視図である。
【図８】  常緑樹（神樹）斜視図である。
【図９】  塀斜視図である。
【図１０】  お賽銭デザイン斜視図である。
【符号の説明】
【００１５】１，美術立体額縁ケース
１ａ美術立体額縁外枠
１ｂ美術立体額縁内枠
１ｃ金張り飾り枠
１ｄ上部照明ＬＥＤ内臓ふた
１ｅＬＥＤ（発光ダイオード）照明装置、
１ｆ額縁内枠裏
１ｇ音響再生装置
１ｈスピーカー窓
１ｉマイナスイオン発生装置
１ｊマイナスイオン投射窓
２、立体神殿本体
２ａ金板，神紋マーク
２ｂ銅版加工屋根
２ｃ金板梅マーク
２ｄ，神殿廊下
２ｅ廊下手すり
２ｆ手すり
２ｇ神殿観音扉
２ｈ階段
３、お供え台、  、、
３ａ花瓶
３ｂ穀物
４，お賽銭箱
４ａ箱ふた
５，塀
５ａ土塀
５ｂ半月瓦
６，常緑樹（神樹）
６ａ，木体
６ｂ，枝、葉
７  砂利道
８，石敷参道
９，背景シルク布
１０，白麻布
【図１】
0004307243.tif 000002
【図２】
0004307243.tif 000003
【図３】
0004307243.tif 000004
【図４】
0004307243.tif 000005
【図５】
0004307243.tif 000006
【図６】
0004307243.tif 000007
【図７】
0004307243.tif 000008
【図８】
0004307243.tif 000009
【図９】
0004307243.tif 000010
【図１０】
0004307243.tif 000011